(57)【要約】      （修正有）【課題】海溝型地震は、海洋プレートが陸プレートを巻き込みながら年間に１０ｃｍから３０ｃｍずつ沈み込み70年間周期でそのエネルギーが溜まった時、陸プレートの先端が跳ね上がり地震発生すると考えられ、大規模地震を防ぐ方法として人為的な爆発による小地震を発生させることが考えられている。今回、この爆発による環境破壊や爆発による危険性を排除した大規模地震を防ぐ方法を提供する。【解決手段】海洋プレートと陸プレートの摩擦を小さくすることにより陸プレートの沈み込みを少なくする手段として、海洋プレートと陸プレートのプレート境界に摩擦係数の小さいスライム状物質等を固着させ、滑り込ませプレート境界の摩擦を小さくする。それより沈み込みを抑え、陸プレートの跳ね返りを防ぎ地震を防止することを特徴とする。【選択図】図１
2015197002.tif 000002
【特許請求の範囲】
【請求項１】
海洋プレートと陸プレートのプレート境界の隙間の海洋プレート面にスライム状物質を作業海洋船から輸送管を介してポンプにより注ぎ込み、プレートの摩擦を小さくすることにより潜り込みを少なくして地震を防止することを特徴とする海溝型地震防止工法。
【請求項２】
スライム状物質は、ホウ砂を水に飽和状態まで溶かしポリビニールアルコールを適量加
えることにより粘度を決定したもので構成したことを特徴とする請求項１記載の海溝型地震防止工法。
【発明の詳細な説明】
【技術分野】
【０００１】
地震の主たる原因の中に、海洋プレートが陸プレートの下に沈み込み長年にわたりそこで溜まったエネルギーが耐えれなくなり陸プレートの先端が跳ね上がることで地震が発生する、いわゆる海溝型地震が知られている。本発明は、陸プレートの沈み込み防止に関するものである。
【背景技術】
【０００２】
従来地震対策は構造物の耐震構造に関する研究は数多く行われて来ましたが、地震発生そのものに対する防止対策はほとんど行われていません、それは、深海に発生源があり対策が困難な環境状況にあるためと思われる。
【先行技術文献】
【特許文献】
【０００３】
【特許文献１】特開２００７―１０８１５２
【特許文献２】特開Ｈ０７―１８１２６６
【発明の概要】
【発明が解決しようとする課題】
【０００４】
海溝型地震は、海洋プレートが陸プレートを巻き込みながら年間に１０ｃｍから３０ｃｍずつ沈み込み70年間周期でそのエネルギーが溜まった時、陸プレートの先端が跳ね上がり地震発生すると考えられています。
従来の考え方は、海洋プレートと陸プレートの境界に爆発物を爆発させ小地震を人為的に発生させて大規模地震を防ぐ方法が考えられていましたが、この方法では爆発物による環境破壊や爆発による危険性があり、さらに陸プレートに爆発物を仕掛けるための穿孔作業が必要で作業リスクが大きいことが考えられる。
【課題を解決するための手段】
【０００５】
本発明は、海洋プレートと陸プレートの摩擦を小さくすることにより陸プレートの沈み込みを少なくする。その手段として、海洋プレートと陸プレートのプレート境界に摩擦係数の小さいスライム状物質等を固着し、滑り込ませることによりプレート境界の摩擦を小さくし沈み込みを抑え、陸プレートの跳ね返りを防ぎ地震を防止することを特徴とする。
【発明の効果】
【０００６】
本発明は、爆発物等使用しないため環境破壊や環境汚染がなくなる。又本施工方法は、海洋上作業であるため内陸部になんらの影響が発生しない。
海洋プレートと陸プレートの摩擦係数が小さくなり沈み込みが抑えられ陸プレートの跳ね上がりがなくなり海溝型地震における発生頻度は非常に少なくなるか発生を抑えることにより地震を未然に防止できる。
【図面の簡単な説明】
【０００７】
【図１】海洋プレートが陸プレートの下に沈み込む様子と陸プレートと海洋プレートの隙間に摩擦係数の少ないスライム状物質等を海洋上から作業船により滑り込ませている図です。
【図２】陸プレートの下に海洋プレートが沈み込むプレート境界に摩擦係数の小さいスライム状物質等を滑り込ませた拡大図です。
【発明を実施するための形態】
【０００８】
海上より作業船により摩擦係数の小さいスライム状物質等をポンプで輸送管を介してプレート境界に到達させ固着させる。作業進行のため海中カメラ等により確認しながら進める。プレート境界に固着させ難い場合は削岩機等により付近に溝を掘るか穴を開けて固着しやすくする。
【実施例】
【０００９】
以下、本発明の実施例を図により詳細に説明する。図１は本発明の実施例を示す断面図である。１は大陸プレート、２は海洋プレートを３は海洋を示し、海洋プレート２は  陸プレート１の下に矢印イで示すような沈み込みを行っているため陸プレート１が矢印ロの方向に引き込まれ沈み込みが発生する。
【００１０】
４は海洋プレート２が陸プレート１の下に沈みこむプレート境界で、この部分に海上３より作業船６から輸送管７によってスライム状物質等５を送り込む。
【００１１】
スライム状物質等５は図２に示すように陸プレート１と海洋プレート２のプレート境界４の隙間に沿って送り込み固着させる。
【００１２】
スライム状物質等は、ホウ砂を水に飽和状態まで溶かしポリビニールアルコールを適量加え作成する、あわせて、粘度、比重、色、等を調整し作成したものである。
作成されたスライム状物質は海中に入ると海水の塩分によりスライムの水分が海水に濃度移行し硬さを増しプレート境界付近に自然と固着しやすくなる。
スライム物質は、これに限定されるものではなく同様なものでも使用できる。
【００１３】
作業船６において輸送管７からスライム状物質等５が計画通り送り込まれているかを海中カメラにより確認しながら作業をする必要がある。  
【００１４】
プレート境界４にスライム状物質等５を固着し滑り込ませにくい場合は削岩機等を利用しプレート境界付近に溝または穴を掘り固着し滑り込みやすくする。
【００１５】
以上により、陸プレート１は海洋プレート２の巻き込みによる矢印ロの沈み込みがなくなり海溝型地震の発生を防止できる。
【産業上の利用可能性】
【００１６】
海洋型地震は、海洋プレートが陸プレートの下に沈み込むとき陸プレートを巻き込み、溜まったエネルギーの反発により跳ね返ることにより地震が発生する。本発明は、陸プレートと海洋プレートのプレート境界に摩擦係数の小さいスライム状物質等を固着させることにより陸プレートの沈み込みを少なくし地震発生を未然に防止する。
【符号の説明】
【００１７】
１  陸プレート
２  海洋プレート
３  海洋
４  プレート境界
５  摩擦係数の小さいスライム状物質等
６  作業船
７  輸送管
【図１】
2015197002.tif 000003
【図２】
2015197002.tif 000004
【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
海洋プレートと陸プレートのプレート境界の隙間の海洋プレート面にスライム状物質を作業海洋船から輸送管を介してポンプにより注ぎ込み、プレートの摩擦を小さくすることにより潜り込みを少なくして地震を防止することを特徴とする海溝型地震防止工法。
【請求項２】
スライム状物質は、ホウ砂を水に飽和状態まで溶かしポリビニールアルコール液に適量加えることにより粘度を決定したもので構成したことを特徴とする請求項１記載の海溝型地震防止工法。
【手続補正２】
【補正対象書類名】明細書
【補正対象項目名】００１１
【補正方法】変更
【補正の内容】
【００１１】
スライム状物質等５は図２に示すように陸プレート１と海洋プレート２のプレート境界４の隙間に沿って送り込み固着させる。
海洋プレートと陸プレートの境界プレートの間にスライム物質を滑り込ませ摩擦を少なくし陸プレートの巻き込みを防止する方法は、スライム状物質をそのまま固着させる方法とあらかじめ陸上にて海洋岩石にスライム状物質を固着させたものを作成し作業船よりプレート境界に投下または輸送管にて送り込む方法がある。
【手続補正３】
【補正対象書類名】明細書
【補正対象項目名】００１２
【補正方法】変更
【補正の内容】
【００１２】
スライム状物質等は、ホウ砂を水に飽和状態まで溶かしポリビニールアルコール液に適量加え作成する、あわせて、粘度、比重、色、等を調整し作成したものである。
作成されたスライム状物質は海中に入ると海水の塩分によりスライムの水分が海水に濃度移行し硬さを増しプレート境界付近に自然と固着しやすくなる。
スライム物質は、これに限定されるものではなく同様なものでも使用できる。